【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
流体中の汚染物質を減らすための物質であって、
カーボンナノチューブと、
前記流体の流れに対して透過性がある、前記カーボンナノチューブ用の多孔質支持媒質と、を備え、
複数の前記カーボンナノチューブは、格子変形と、少なくとも１つの官能基と、を含むとともに、前記多孔質支持媒質、別のカーボンナノチューブ、またはその組合せに溶融または結合されている、物質。
【請求項２】
前記多孔質支持媒質が、繊維、基質および粒子から選択される少なくとも１つの成分を含む、請求項１に記載の物質。
【請求項３】
前記繊維、基質、および粒子が、セラミックおよびポリマー物質から選択される、請求項２に記載の物質。
【請求項４】
前記ポリマー物質が、単一または多成分ポリマー類、ナイロン、ポリウレタン、アクリル、メタクリル、ポリカーボネート、エポキシ、シリコーンゴム類、ポリスチレン、ポリエチレンテレフタレート、ポリブチレンテレフタレート、ポリ−パラフィレン（ｐａｒａｐｈｙｌｅｎｅ）テレフタルアミド、ポリ（ｐ−フェニレンテレフタルアミド）、ポリエステルエステルケトン、バイトンフルオロエラストマー、ポリテトラフルオロエチレン、ポリ塩化ビニル、ポリエステル、ポリプロピレン、ポリクロロプレン、アセテート類、およびその組合せ、を含む、請求項３に記載の物質。
【請求項５】
前記多成分ポリマーが、少なくとも２つの異なるガラス転移温度または融解温度を示す、請求項４に記載の物質。
【請求項６】
前記セラミック物質が、以下の少なくとも１つ、すなわち、炭化ホウ素、窒化ホウ素、酸化ホウ素、リン酸ホウ素、スピネル、ガーネット、フッ化ランタン、フッ化カルシウム、炭化ケイ素、炭素およびその同素体、酸化ケイ素、ガラス、水晶、酸化アルミニウム、窒化アルミニウム、酸化ジルコニウム、炭化ジルコニウム、ホウ化ジルコニウム、亜硝酸ジルコニウム、ホウ化ハフニウム、酸化トリウム、酸化イットリウム、酸化マグネシウム、酸化リン、コーディエライト、ムライト、窒化ケイ素、フェライト、サファイア、ステアタイト、炭化チタン、窒化チタン、ホウ化チタン、およびその組合せから選択される、請求項３に記載の物質。
【請求項７】
前記粒子が、１００ミクロンまでの直径を有する、請求項２に記載の物質。
【請求項８】
前記カーボンナノチューブが、前記物質と接触する流体中の汚染物質の濃度を下げるのに十分な量で、前記物質に存在する、請求項１に記載の物質。
【請求項９】
前記カーボンナノチューブが、非カーボンナノチューブ物質に、さらにドープまたは含浸されている、請求項１に記載の物質。
【請求項１０】
前記官能基が、少なくとも１つの有機官能基、無機官能基、またはその組合せを含む、請求項１に記載の物質。
【請求項１１】
前記官能基が、前記カーボンナノチューブの表面に付着されている、請求項１０に記載の物質。
【請求項１２】
前記官能基が、前記カーボンナノチューブの端に位置しており、かつ、重合している、請求項１１に記載の物質。
【請求項１３】
前記少なくとも１つの有機官能基が、直鎖基または分岐基、飽和基または不飽和基を含む、請求項１０に記載の物質。
【請求項１４】
前記少なくとも１つの有機官能基が、カルボキシル類、アミン類、ポリアミド類、ポリ両親媒性物質類、ジアゾニウム塩類、ピレニル類、シラン類、およびその組合せから選択される少なくとも１つの化学基を含む、請求項１０に記載の物質。
【請求項１５】
前記少なくとも１つの無機官能基が、ホウ素、チタン、ニオブ、タングステン、およびその組合せの少なくとも１つのフッ素化合物を含む、請求項１０に記載の物質。
【請求項１６】
前記少なくとも１つの有機または無機官能基が、ハロゲン原子またはハロゲン化合物を含む、請求項１０に記載の物質。
【請求項１７】
前記カーボンナノチューブが、前記カーボンナノチューブの表面上および／または前記物質の少なくとも１つの面積上の官能基の組成および／または密度における非均一性を含む、請求項１０に記載の物質。
【請求項１８】
前記カーボンナノチューブが、前記カーボンナノチューブの表面上および／または前記物質の少なくとも１つの面積上の官能基の実質的に均一の勾配を含む、請求項１０に記載の物質。
【請求項１９】
前記カーボンナノチューブが、炭素環のスクロール管状または非管状ナノ構造を有する、請求項１１に記載の物質。
【請求項２０】
炭素環のスクロール管状または非管状ナノ構造を有する前記カーボンナノチューブが、シングルウォール、マルチウォール、ナノスクロール、またはその組合せである、請求項１９に記載の物質。
【請求項２１】
スクロール管状または非管状ナノ構造を有する前記カーボンナノチューブが、ナノホーン、円筒、ナノらせん、樹状、木、スパイダーナノチューブ構造、ナノチューブＹジャンクション、および竹の形態から選択される形態を有する、請求項２０に記載の物質。
【請求項２２】
前記流体が、少なくとも１つの液体または気体を含む、請求項１に記載の物質。
【請求項２３】
前記液体が、水を含む、請求項２２に記載の物質。 
【請求項２４】
前記液体が、石油およびその副産物、体液、食料品、アルコール飲料、および医薬品から選択される、請求項２２に記載の物質。
【請求項２５】
前記石油およびその副産物が、航空機、自動車、船舶、および機関車用燃料、ロケット燃料、工業および機械油および潤滑油、および暖房用石油および気体を含む、請求項２４に記載の物質。
【請求項２６】
前記石油およびその副産物が航空機燃料を含み、かつ、前記汚染物が細菌を含む、請求項２４に記載の物質。
【請求項２７】
前記体液が、動物、ヒト、植物由来であり、またはバイオ技術の処理において使用される成長ブロス、または医薬品を含む、請求項２４に記載の物質。
【請求項２８】
前記体液が、血液、乳、および両方の成分を含む、請求項２４に記載の物質。
【請求項２９】
前記食料品が、料理または食品産業において使用される動物副産物、果汁、天然シロップ、並びに天然および合成油から選択される、請求項２４に記載の物質。
【請求項３０】
前記動物副産物が、乳および卵を含む、請求項２４に記載の物質。
【請求項３１】
料理または食品産業において使用される天然および合成油が、オリーブ油、ピーナッツ油、花油、および植物油を含む、請求項２４に記載の物質。
【請求項３２】
前記アルコール飲料が、ビール、ワイン、または蒸留酒を含む、請求項２４に記載の物質。
【請求項３３】
前記汚染物質が以下の少なくとも１つ、すなわち、塩、金属、病原体、微生物、ＤＮＡ、ＲＮＡ、天然有機分子、かび、菌類、および天然および合成毒素、内毒素、タンパク質、および酵素から選択される、請求項１に記載の物質。
【請求項３４】
前記天然および合成毒素が、化学および生物兵器を含む、請求項３３に記載の物質。
【請求項３５】
前記気体が、空気を含む、請求項２２に記載の物質。
【手続補正２】
【補正対象書類名】明細書
【補正対象項目名】００５５
【補正方法】変更
【補正の内容】
【００５５】
カーボンナノチューブを被覆するのに使用されうるかかるポリマー物質の例としては、多成分ポリマー（多成分ポリマーが少なくとも２種類のガラス転移温度または融解温度を有する場合に有利）、ナイロン、ポリウレタン、アクリル、メタクリル、ポリカーボネート、エポキシ、シリコーンゴム、天然ゴム、合成ゴム、硫化ゴム、ポリスチレン、ポリエチレンテレフタレート、ポリブチレンテレフタレート、Ｎｏｍｅｘ（ポリ−パラフィレンテレフタルアミド）、Ｋｅｖｌａｒポリ（ｐ−フェニレンテレフタルアミド）、ＰＥＥＫ（ポリエステルエステルケテン）、Ｍｙｌａｒ（ポリエチレンテレフタレート）、バイトン（バイトンフルオロエラストマー）、ポリテトラフルオロエチレン、ポリ塩化ビニル（ＰＶＣ）などハロゲン化ポリマー、ポリエステル（ポリエチレンテレフタレート）、ポリプロピレン、およびポリクロロプレンが挙げられる。